(57)【要約】【課題】  処方箋情報を保証する。【解決手段】  一実施形態に係る画像処理装置は、可視の第１の処方箋情報を有する第１画像と、不可視の第２の処方箋情報を有する第２画像と、を含む処方箋画像を、処方箋から読み取る画像読取部と、第２画像を解析することにより、第２の処方箋情報を取得する第１の解析部と、第１の処方箋情報及び第２の処方箋情報を、比較可能な形式で表示装置に表示させる表示部と、を備える。【選択図】  図６
2017194871.tif 000002
【特許請求の範囲】
【請求項１】
可視の第１の処方箋情報を有する第１画像と、不可視の第２の処方箋情報を有する第２画像と、を含む処方箋画像を、処方箋から読み取る画像読取部と、
前記第２画像を解析することにより、前記第２の処方箋情報を取得する第１の解析部と、
前記第１の処方箋情報及び前記第２の処方箋情報を、比較可能な形式で表示装置に表示させる表示部と、
を備える画像処理装置。
【請求項２】
前記第１画像は、前記第１の処方箋情報を示す文字列を含み、
前記表示部は、前記処方箋画像を前記表示装置に表示させる
請求項１に記載の画像処理装置。
【請求項３】
前記第１画像は、前記第１の処方箋情報を有する２次元コードを含み、
前記表示部は、前記２次元コードが有する前記第１の処方箋情報を前記表示装置に表示させる
請求項１又は請求項２に記載の画像処理装置。
【請求項４】
前記２次元コードを解析することにより、前記第１の処方箋情報を取得する第２の解析部を備える
請求項３に記載の画像処理装置。
【請求項５】
光学文字認識により、前記文字列から前記第１の処方箋情報を取得する光学文字認識部を備える
請求項２に記載の画像処理装置。
【請求項６】
前記第１の処方箋情報及び前記第２の処方箋情報を比較することにより、前記第１の処方箋情報の改竄を検知する改竄検知部を備える
請求項１乃至請求項５のいずれか１項に記載の画像処理装置。
【請求項７】
前記表示部は、前記第１の処方箋情報及び前記第２の処方箋情報を、前記表示装置の同一画面上に並べて表示させる
請求項１乃至請求項６のいずれか１項に記載の画像処理装置。
【請求項８】
可視の第１の処方箋情報を有する第１画像と、不可視の第２の処方箋情報を有する第２画像と、を含む処方箋画像を、処方箋から読み取る工程と、
前記第２画像を解析することにより、前記第２の処方箋情報を取得する工程と、
前記第１の処方箋情報及び前記第２の処方箋情報を、比較可能な形式で表示装置に表示させる工程と、
を含む画像処理方法。
【請求項９】
可視の第１の処方箋情報を有する第１画像と、不可視の第２の処方箋情報を有する第２画像と、を含む処方箋画像を記載された処方箋を作成する画像形成装置と、
前記処方箋から前記処方箋画像を読み取る画像読取部と、前記第２画像を解析することにより、前記第２の処方箋情報を取得する第１の解析部と、前記第１の処方箋情報及び前記第２の処方箋情報を、比較可能な形式で表示装置に表示させる表示部と、を備える画像処理装置と、
を含む処方箋管理システム。
【発明の詳細な説明】
【技術分野】
【０００１】
本発明は、画像処理装置、画像処理方法、及び処方箋管理システムに関する。
【背景技術】
【０００２】
調剤薬局は、医療機関が発行した処方箋に従って、患者に薬を処方する。一般に、処方箋には、その処方箋を発行した医療機関の名称、患者の保険者番号、氏名、生年月日、処方される薬の名称、量などの処方箋情報が記載される。
【０００３】
従来、これらの処方箋情報は、調剤薬局の端末に手作業で入力されていた。この入力作業は、調剤薬局のスタッフにとって負担であり、また、誤入力の原因となった。そこで、処方箋情報の入力作業を簡易化する方法として、処方箋情報を有する２次元コードを処方箋用紙に印刷する方法が提案されている。この方法によれば、画像処理装置で２次元コードを解析することにより、正確かつ迅速に処方箋情報を調剤薬局の端末に入力することが可能となる。
【発明の概要】
【発明が解決しようとする課題】
【０００４】
近年、悪意ある患者が、処方箋情報（例えば、薬の名称や量）を改竄することにより、違法に薬を取得するケースが問題となっている。これは、上記従来の方法のように、処方箋用紙に２次元コードを印刷する場合も同様である。なぜなら、上記従来の方法では、ＱＲコード（登録商標）のような、定義やフォーマットが公開された２次元コードが利用されるためである。悪意ある患者は、既存のアプリケーションによって、改竄された処方箋情報を有する２次元コードを容易に生成し、処方箋を改竄し得る。
【０００５】
本発明は、上記の課題に鑑みてなされたものであり、処方箋情報を保証することを目的とする。
【課題を解決するための手段】
【０００６】
一実施形態に係る画像処理装置は、可視の第１の処方箋情報を有する第１画像と、不可視の第２の処方箋情報を有する第２画像と、を含む処方箋画像を、処方箋から読み取る画像読取部と、前記第２画像を解析することにより、前記第２の処方箋情報を取得する第１の解析部と、前記第１の処方箋情報及び前記第２の処方箋情報を、比較可能な形式で表示装置に表示させる表示部と、を備える。
【発明の効果】
【０００７】
本発明の各実施形態によれば、処方箋情報を保証することができる。
【図面の簡単な説明】
【０００８】
【図１】第１実施形態に係る処方箋管理システムの構成を示す図。
【図２】医療機関端末のハードウェア構成の一例を示す図。
【図３】画像形成装置のハードウェア構成の一例を示す図。
【図４】複合機が備えるソフトウェア群の一例を示す図。
【図５】第１実施形態における処方箋画像の一例を示す図。
【図６】第１実施形態に係る画像処理装置の機能構成の一例を示す図。
【図７】第１実施形態に係る画像処理装置の動作の一例を示すシーケンス図。
【図８】第１実施形態に係る画像処理装置の動作の一例を示すフローチャート。
【図９】表示装置に表示された第１の処方箋情報及び第２の処方箋情報の一例を示す図。
【図１０】表示装置に表示された第１の処方箋情報及び第２の処方箋情報の一例を示す図。
【図１１】第２実施形態における処方箋画像の一例を示す図。
【図１２】第２実施形態に係る画像処理装置の機能構成の一例を示す図。
【図１３】第２実施形態に係る画像処理装置の動作の一例を示すフローチャート。
【図１４】表示装置に表示された第１の処方箋情報及び第２の処方箋情報の一例を示す図。
【図１５】第２実施形態における処方箋画像の一例を示す図。
【図１６】表示装置に表示された第１の処方箋情報及び第２の処方箋情報の一例を示す図。
【図１７】第３実施形態に係る画像処理装置の機能構成の一例を示す図。
【図１８】第３実施形態に係る画像処理装置の動作の一例を示すフローチャート。
【図１９】表示装置に表示された第１の処方箋情報及び第２の処方箋情報の一例を示す図。
【発明を実施するための形態】
【０００９】
以下、本発明の各実施形態について、添付の図面を参照しながら説明する。なお、各実施形態に係る明細書及び図面の記載に関して、実質的に同一の機能構成を有する構成要素については、同一の符号を付することにより重畳した説明を省略する。
【００１０】
（第１実施形態）
まず、第１実施形態について図１〜図１０を参照して説明する。本実施形態に係る処方箋管理システム１０は、処方箋を管理し、処方箋情報を保証するためのシステムである。処方箋とは、医療機関が患者に対して発行し、調剤薬局において調剤のために利用される文書のことである。
【００１１】
処方箋は、所定の処方箋用紙に、文字列や画像により処方箋情報を記載することにより作成される。処方箋情報を処方箋用紙に記載する方法として、印刷や手書きなどの方法が挙げられる。以下では、処方箋情報が処方箋用紙に印刷される場合を例に説明するが、処方箋情報の一部又は全部は、手書きで処方箋用紙に記載されてもよい。
【００１２】
図１は、処方箋管理システム１０の構成を示す図である。図１に示すように、処方箋管理システム１０は、医療機関端末１と、画像形成装置２と、画像処理装置３と、調剤薬局端末４と、を備える。
【００１３】
＜医療機関端末１の構成＞
医療機関端末１は、医療機関に設置された端末（コンピュータ）であり、画像形成装置２に接続されている。図１の例では、画像形成装置２には、医療機関端末１が１つ接続されているが、複数接続されていてもよい。
【００１４】
医療機関端末１は、医療機関のスタッフにより処方箋情報を入力される。処方箋情報には、処方箋を発行した医療機関の名称、患者の保険者番号、氏名、生年月日、処方される薬の名称、量などの項目が含まれる。医療機関端末１は、入力された処方箋情報に基づいて、処方箋画像の画像データを生成する。
【００１５】
処方箋画像は、処方箋情報を有する画像であり、処方箋の表面画像に相当する。処方箋用紙に処方箋画像が印刷されることにより、処方箋が作成される。処方箋画像について、詳しくは後述する。医療機関端末１は、生成した処方箋画像の画像データを、画像形成装置２に入力する。
【００１６】
図５は、医療機関端末１のハードウェア構成の一例を示す図である。図５の医療機関端末１は、ＣＰＵ（Central Processing Unit）１１と、入力装置１２と、表示装置１３と、通信装置１４と、主記憶装置１５と、補助記憶装置１６と、バス１７と、を備える。
【００１７】
ＣＰＵ１１は、ＯＳ（Operating System）や各種のソフトウェアを実行し、医療機関端末１の機能を実現する。ＣＰＵ１１は、例えば、処方箋情報に基づいて処方箋画像の画像データを生成するソフトウェアを実行する。
【００１８】
入力装置１２は、例えば、キーボード、マウス、又はタッチパネルであるが、これに限られない。医療機関のスタッフは、入力装置１２を操作することにより、医療機関端末１に処方箋情報を入力する。
【００１９】
表示装置１３は、例えば、液晶ディスプレイ、ブラウン管ディスプレイ、又はプラズマディスプレイであるが、これに限られない。
【００２０】
通信装置１４は、例えば、モデム、ハブ、及びルータであるが、これに限られない。医療機関端末１は、通信装置１４を介して、画像形成装置２に処方箋画像の画像データを送信してもよい。
【００２１】
主記憶装置１５は、例えば、ＲＡＭ（Random Access Memory）、ＳＲＡＭ（Static Random Access Memory）、又はＤＲＡＭ（Dynamic Random Access Memory）であるが、これに限られない。
【００２２】
補助記憶装置１６は、例えば、ＨＤＤ（Hard Disk Drive）、光ディスク、フラッシュメモリ、又は磁気テープであるが、これに限られない。補助記憶装置１６は、ＣＰＵ１１が実行する各種のソフトウェアや、医療機関端末１が利用する各種のデータを記憶する。
【００２３】
バス１７は、ＣＰＵ１１と、入力装置１２と、表示装置１３と、通信装置１４と、主記憶装置１５と、補助記憶装置１６と、を相互に接続する。
【００２４】
＜画像形成装置２の構成＞
画像形成装置２は、プリンタ機能を備え、医療機関端末１から入力された画像データに基づいて、処方箋画像を処方箋用紙に印刷する。これにより、処方箋が作成される。画像形成装置２により作成された処方箋は、患者に発行される。画像形成装置２の印刷方式は、例えば、インクジェット方式やレーザ方式などである。画像形成装置２は、プリンタやプリンタ機能を備えた複合機であるが、これに限られない。
【００２５】
図３は、画像形成装置２のハードウェア構成の一例を示す図である。以下では、画像形成装置２が複合機である場合を例に説明する。
【００２６】
図３の画像形成装置２は、コントローラ２１と、オペレーションパネル２２と、ＦＣＵ（Fax Control Unit）２３と、ＵＳＢ（Universal Serial Bus）デバイス２４と、ＭＬＢ２５と、エンジン２６と、を備える。また、図示省略されているが、画像形成装置２は、紙搬送装置、撮像装置、及び印刷装置などを備える。
【００２７】
コントローラ２１は、ＣＰＵ２１１と、システムメモリ２１２と、ＡＳＩＣ（Application Specific Integrated Circuit）２１３と、ＨＤＤ２１４と、を備える。また、コントローラ２１は、ＴＰＭ（Trusted Platform Module）チップ２１５と、ＰＨＹ（Physical Layer）チップ２１６と、データ転送バス２１７と、を備える。
【００２８】
ＣＰＵ２１１と、システムメモリ２１２と、ＨＤＤ２１４と、ＰＨＹチップ２１６と、はデータ転送バス２１７により、ＡＳＩＣ２１３に接続されている。図３の例では、ＴＰＭチップ２１５は、ＡＳＩＣ２１３に搭載されているが、独立したＬＳＩであってもよい。
【００２９】
ＣＰＵ２１１は、画像形成装置２の全体制御を行う。また、ＣＰＵ２１１が各種のソフトウェアを実行することにより、画像形成装置２の各種の機能（例えば、プリンタ機能やスキャナ機能など）が実現される。
【００３０】
システムメモリ２１２は、例えば、ＲＡＭ、ＳＲＡＭ、又はＤＲＡＭであるが、これに限られない。
【００３１】
ＨＤＤ２１４は、ＯＳ、画像形成装置２の機能を実現する各種のソフトウェア、画像形成装置２が利用する各種のデータ（例えば、処方箋画像の画像データ）などを記憶する。ＨＤＤ２１４に記憶されたＯＳやソフトウェアは、システムメモリ２１２上で展開され、ＣＰＵ２１１により実行される。
【００３２】
ＴＰＭチップ２１５は、暗号キーを利用して、ＨＤＤ２１４に格納されるデータを暗号化する。ＴＰＭチップ２１５は、内蔵するメモリに暗号キーを保持するため、外部からの攻撃に強い。ＴＰＭチップ２１５を利用することにより、ＨＤＤ２１４からのデータの盗難や解析による、情報流出のリスクを低減できる。
【００３３】
ＰＨＹチップ２１６は、ＡＳＩＣ２１３が出力した論理信号を電気信号に変換して出力する。また、ＰＨＹチップ２１６は、外部装置から入力された電気信号を論理信号に変換してＡＳＩＣ２１３に入力する。
【００３４】
オペレーションパネル２２は、画像形成装置２の入出力装置である。オペレーションパネル２２は、入力装置として押しボタンやタッチパネルを備える。また、オペレーションパネル２２は、出力装置として、液晶ディスプレイなどの表示装置やスピーカを備える。オペレーションパネル２２は、データ転送バス２１７により、ＡＳＩＣ２１３に接続されている。
【００３５】
ＦＣＵ２３は、ファックス機能を制御する。具体的には、ＦＣＵ２３は、ＰＳＴＮ（Public Switched Telephone Network）やＩＳＤＮ（Integrated Services Digital Network）を利用したファックス送受信を制御する。また、ＦＣＵ２３は、バックアップ用のメモリで管理されている各種ファックスデータの登録及び引用、ファックス読み取り、ファックス受信印刷などを制御する。
【００３６】
ＵＳＢデバイス２４は、ＵＳＢを利用して接続された周辺機器である。ＵＳＢデバイス２４は、例えば、２次元コードリーダであるが、これに限られない。
【００３７】
エンジン２６は、プリンタ機能を実現するプリンタエンジンや、スキャナ機能を実現するスキャンエンジンを含む。
【００３８】
図４は、画像形成装置２が備えるソフトウェア群５の一例を示す図である。ソフトウェア群５に含まれる各ソフトウェアは、ＨＤＤ２１４に格納され、システムメモリ２１２に読み込まれ、ＣＰＵ２１１により実行される。これにより、画像形成装置２の各種の機能が実現される。
【００３９】
ソフトウェア群５に含まれる各ソフトウェアは、ＵＮＩＸ（登録商標）などのＯＳ上で、プロセスとして並列に実行される。ソフトウェア群５には、アプリケーション層５１に含まれるソフトウェアと、プラットフォーム５２に含まれるソフトウェアと、が含まれる。
【００４０】
アプリケーション層５１は、画像形成に関する各種のサービスに固有の処理を行うソフトウェアを含む。アプリケーション層５１には、プリンタアプリケーション（PRINT）５１１と、コピーアプリケーション（COPY）５１２と、ファックスアプリケーション（FAX）５１３と、が含まれる。また、アプリケーション層５１には、スキャナアプリケーション（SCAN）５１４と、ネットファイルアプリケーション（NET FILE）５１５と、が含まれる。
【００４１】
プラットフォーム５２は、ＧＷＡＰＩ（Gateway Application Programing Interface）５３と、コントロールサービス層５４と、ＳＲＭ（System Resource Manager）５５と、ハンドラ層５６と、を含む。
【００４２】
ＧＷＡＰＩ５３は、予め定義された関数により、プラットフォームがアプリケーション層５１からの処理要求を受信可能とする。
【００４３】
コントロールサービス層５４は、１つ以上のサービスモジュールを含み、アプリケーション層５１からの処理要求を解釈し、ＡＳＩＣ２１３の獲得要求を発生させる。コントロールサービス層５４は、ＮＣＳ（Network Control Service）５２１と、ＯＣＳ（Operation Control Service）５４２と、ＦＣＳ（Fax Control Service）５４３と、ＭＣＳ（Memory Control Service）５４４と、を含む。
【００４４】
また、コントロールサービス層５４は、ＥＣＳ（Engine Control Service）５４５と、ＤＣＳ（Delivery Control Service）５４６と、ＣＣＳ（Certification and charge Control Service）５４７と、ＬＣＳ（Log Control Service）５４８と、ＵＣＳ（User information Control Service）５４９と、ＳＣＳ（System Control Service）５５０と、を含む。
【００４５】
ＮＣＳ５２１は、ネットワークＩ／Ｏを必要とする１つ又は複数のソフトウェア（アプリケーション）が、共通に利用できるサービスを提供する。ＮＣＳ５２１は、例えば、ネットワークから受信したデータを各ソフトウェアに振り分ける。また、ＮＣＳ５２１は、ソフトウェアからのデータをネットワークに送信するための仲介を行う。
【００４６】
ＯＣＳ５４２は、オペレーションパネル２２を制御する。
【００４７】
ＦＣＳ５４３は、ＰＳＴＮやＩＳＤＮを利用したファックス送受信、バックアップ用のメモリで管理されている各種ファックスデータの登録及び引用、ファックス読み取り、ファックス受信印刷、などのためのＡＰＩを提供する。
【００４８】
ＭＣＳ５４４は、システムメモリ２１２の確保及び解放やＨＤＤ２１４の利用などの、メモリ制御を行う。ＥＣＳ５４５は、エンジン２６を制御する。ＤＣＳ５４６は、蓄積文書の配信などを制御する。ＣＣＳ５４７は、認証と課金に関する制御を行う。ＬＣＳ５４８は、ログ情報を管理及び保持する。ＵＣＳ５４９は、ユーザ情報を管理する。
【００４９】
ＳＣＳ５５０は、ＡＳＩＣ２１３及びアプリケーションの管理、ＬＥＤの表示、割り込みアプリケーションの制御、などを行う。
【００５０】
ＳＲＭ５５は、ＮＣＳ５２１などのサービスモジュールの下位層であり、リソースの利用状況に応じて、コントロールサービス層５４からの獲得要求を調停する。また、ＳＲＭ５５は、ＳＣＳ５５０と共にＡＳＩＣ２１３を制御する。
【００５１】
ＳＲＭ５５は、ＮＣＳ５２１などの上位層が、アプリケーション層５１からの処理要求に応じたＡＳＩＣ２１３の獲得要求を発生させると、獲得要求されたＡＳＩＣ２１３が利用可能であるか判定する。ＳＲＭ５５は、ＡＳＩＣ２１３が利用可能である場合、その旨を上位層に通知する。また、ＳＲＭ５５は、上位層からの獲得要求に対して、ＡＳＩＣ２１３を利用するためのスケジューリングを行い、要求内容（例えば、メモリ確保、ファイル生成、撮像、紙搬送など）を実行する。
【００５２】
ハンドラ層５６は、ＳＲＭ５５からの獲得要求に応じて、ＡＳＩＣ２１３を管理する。ハンドラ層５６は、ＦＣＵＨ（Fax Control Unit Handler）５６１と、ＩＭＨ（Image Memory Handler）５６２と、ＭＥＵ５６３と、を含む。
【００５３】
ＦＣＵＨ５６１は、ＦＣＵ２３を管理する。
【００５４】
ＩＭＨ５６２は、プロセスに対するシステムメモリ２１２の割り当てと、割り当てられたシステムメモリ２１２の管理と、を行う。
【００５５】
ＭＥＵ５６３は、画像変換に関連する制御を行う。
【００５６】
画像形成装置２の動作の一例として、画像の読み取り処理について説明する。この画像形成装置２では、プリンタアプリケーション５１１、コピーアプリケーション５１２、及びスキャナアプリケーション５１４が、画像の読み取り処理を実行する。
【００５７】
上記のアプリケーションが読み取り処理の処理要求を発生させると、プラットフォーム５２を介して、処理要求がコントローラ２１に入力される。コントローラ２１は、入力された処理要求に応じて、撮像装置を制御し、画像の読み取りを実行する。
【００５８】
読み取られた画像の画像データは、システムメモリ２１２に格納され、処理要求を発生させたアプリケーションの設定や機器設定に従って、ＴＰＭチップ２１５により暗号化され、ＨＤＤ２１４に記憶される。
【００５９】
＜処方箋画像の説明＞
ここで、画像形成装置２により印刷される処方箋画像について、詳細に説明する。処方箋画像は、第１画像と、第２画像と、を含む。
【００６０】
第１画像は、第１の処方箋情報を有する画像である。第１画像は、第１の処方箋情報以外の情報（例えば、医療機関の住所や連絡先など）を有してもよい。第１画像の画像データは、医療機関のスタッフにより入力された処方箋情報に基づいて、医療機関端末１により生成される。
【００６１】
第１の処方箋情報は、医療機関のスタッフが入力した処方箋情報の全部又は一部を含む情報である。第１の処方箋情報は、例えば、処方箋を発行した医療機関の名称、患者の保険者番号、氏名、生年月日、処方される薬の名称、量などの項目を含む。第１の処方箋情報に含まれる項目は、予め設定されていてもよいし、医療機関のスタッフにより選択可能であってもよい。
【００６２】
第１の処方箋情報は、可視の情報である。ここでいう可視の情報とは、情報を取得するための一般的な方法で、患者が取得可能な情報のことである。言い換えると、第１画像とは、情報を取得するための一般的な方法により取得可能な形式で、第１の処方箋情報を埋め込まれた画像のことである。情報を取得するための一般的な方法には、視認や既存の２次元コードリーダを利用した２次元コードの読み取りが含まれる。第１の処方箋情報は、患者にとって可視であるため、悪意ある患者により改竄されるおそれがある。
【００６３】
本実施形態において、第１画像は、第１の処方箋情報を示す文字列を含む。したがって、患者は、第１画像に含まれる文字列を読むことにより、第１画像が有する第１の処方箋情報を取得できる。
【００６４】
第２画像は、第２の処方箋情報を有する画像である。第２の処方箋情報は、医療機関のスタッフが入力した処方箋情報の全部又は一部を含む情報である。第２の処方箋情報は、例えば、処方箋を発行した医療機関の名称、患者の保険者番号、氏名、生年月日、処方される薬の名称、量などの項目を含む。第２の処方箋情報に含まれる項目は、予め設定されていてもよいし、画像形成装置２や外部装置が備える入力装置を利用して、医療機関のスタッフにより選択可能であってもよい。
【００６５】
また、第２画像は、第２の処方箋情報以外の情報（例えば、医療機関の住所や連絡先など）を有してもよい。第２画像の画像データは、医療機関のスタッフにより入力された処方箋情報に基づいて、医療機関端末１により生成される。
【００６６】
第２画像は、第２の処方箋情報を有する画像である。第２画像は、第２の処方箋情報以外の情報（例えば、医療機関の住所や連絡先など）を有してもよい。第２画像の画像データは、医療機関のスタッフにより入力された処方箋情報に基づいて、医療機関端末１により生成される。
【００６７】
第２の処方箋情報は、医療機関のスタッフが入力した処方箋情報の全部又は一部を含む情報である。第２の処方箋情報は、例えば、処方箋を発行した医療機関の名称、患者の保険者番号、氏名、生年月日、処方される薬の名称、量などの項目を含む。第２の処方箋情報に含まれる項目は、予め設定されていてもよいし、医療機関のスタッフにより選択可能であってもよい。
【００６８】
第２の処方箋情報は、不可視の情報である。ここでいう不可視の情報とは、情報を取得するための一般的な方法で、患者が取得不能な情報のことである。言い換えると、第２画像とは、情報を取得するための一般的な方法では取得不能な形式で、第２の処方箋情報を埋め込まれた画像のことである。第２の処方箋情報は、患者にとって不可視であるため、悪意ある患者であっても、改竄することは極めて困難である。
【００６９】
第２画像は、例えば、ドットパターンである。ドットパターンは、処方箋の全体に印刷されてもよいし、一部の領域に印刷されてもよい。ドットパターンは、複数のドットにより構成される。ドットパターンを構成する各ドットの形状、大きさ、及び色は、任意である。また、各ドットの形状、大きさ、及び色は、それぞれ同一であってもよいし、異なってもよい。
【００７０】
なお、第２画像は、患者にとって、視認不能又は視認困難であるのが好ましい。これは、第２画像が視認可能である場合、第２画像の存在が患者に不安を与える恐れがあるためである。第２画像を視認不能又は視認困難とすることにより、患者に余計な不安を与えることを防ぐことができる。
【００７１】
第２画像がドットパターンである場合、第２画像を視認困難とするために、各ドットは視認困難であるのが好ましい。具体的には、各ドットの直径は、１ｍｍ以下であるのが好ましい。また、各ドットの色は、視覚的に目立ちにくい黄色であるのが好ましい。
【００７２】
なお、第２画像は、ドットパターンに限られない。第２画像は、例えば、第１画像に重畳された、明度、色相、彩度、及びこれらの組み合わせ、のパターンであってもよい。
【００７３】
また、第１の処方箋情報に含まれる項目と、第２の処方箋情報に含まれる項目と、は一部が同一であればよい。したがって、第１の処方箋情報に含まれる項目と、第２の処方箋情報に含まれる項目と、は全てが同一であってもよいし、一部が異なってもよい。第１の処方箋情報と、第２の処方箋情報と、において重複した項目が、処方箋管理システム１０により保証される処方箋情報となる。
【００７４】
図５は、本実施形態における処方箋画像の一例を示す図である。図５の例では、第１画像は、「保険者番号：ａａａ」、「医療機関名：ｂｂｂ」、「処方内容：解熱剤Ａ：２０錠：胃薬Ｂ：１０錠」などの文字列を含む。第１画像は、これらの文字列が示す第１の処方箋情報を有する。また、図５の例では、第２画像は、処方箋の全面に印刷されたドットパターンある。第２画像は、このドットパターンに対応する第２の処方箋情報を有する。
【００７５】
＜画像処理装置３の構成＞
画像処理装置３は、処方箋から処方箋画像を読み取り、読み取った処方箋画像が有する第１の処方箋情報及び第２処方箋情報を表示装置に表示させる。画像処理装置３は、スキャナや、スキャナ機能を備えた複合機であるが、これに限られない。画像処理装置３のハードウェア構成は、画像形成装置２と同様であるため、説明を省略する。
【００７６】
図６は、本実施形態に係る画像処理装置３の機能構成の一例を示す図である。図６の画像処理装置３は、画像読取部３１と、解析制御部３２と、第２画像検知部３３と、第２画像解析部３４と、表示部３５と、を備える。これらの各機能構成は、ＣＰＵが対応するソフトウェアを実行することにより実現される。
【００７７】
画像読取部３１は、処方箋から処方箋画像を読み取る。画像読取部３１は、複合機のスキャナ機能により実現される。画像読取部３１は、読み取った処方箋画像の画像データを生成し、生成した画像データを解析制御部３２に渡す。
【００７８】
解析制御部３２は、処方箋画像の画像データの解析を制御する。解析制御部３２による解析制御について、詳しくは後述する。
【００７９】
第２画像検知部３３は、解析制御部３２から処方箋画像の画像データを受け取り、受け取った画像データに基づいて、処方箋画像に含まれる第２画像を検知する。すなわち、第２画像検知部３３は、処方箋画像に第２画像が含まれるか判定する。第２画像検知部３３は、検知結果を解析制御部３２に渡す。第２画像の検知方法は、第２画像の生成方法に応じて決めればよい。
【００８０】
例えば、第２画像がドットパターンである場合、検知用ドットを含む第２画像を生成することが考えられる。検知用ドットは、第２画像の存在を示すドットである。検知用ドットとして、処方箋画像の所定の位置に印刷されるドット、所定の形状や色を有するドット、所定のパターンで配列される複数のドット群などを利用できる。第２画像が検知用ドットを含む場合、第２画像検知部３３は、処方箋画像に含まれる検知用ドットを検知することにより、第２画像を検知することができる。
【００８１】
第２画像解析部３４（第１の解析部）は、解析制御部３２から処方箋画像の画像データを受け取り、受け取った画像データを解析して、第２画像から第２の処方箋情報を取得する。第２画像解析部３４は、解析結果、すなわち、解析により得られた第２の処方箋情報を、解析制御部３２に渡す。第２画像の解析方法は、第２画像の生成方法に応じて決めればよい。
【００８２】
表示部３５は、処方箋画像が有する第１の処方箋情報及び第２の処方箋情報を、画像処理装置３や調剤薬局端末４の利用者（例えば、調剤薬局のスタッフ）にとって比較可能な形式で、表示装置に表示させる。表示装置は、画像処理装置３の表示装置であってもよいし、調剤薬局端末４の表示装置であってもよいし、これらの両方であってもよい。また、表示装置に表示させるとは、第１の処方箋情報及び第２の処方箋情報のデータを、表示装置が表示可能なように加工して出力することをいう。
【００８３】
＜調剤薬局端末４の構成＞
調剤薬局端末４は、調剤薬局に設置された端末であり、画像処理装置３に接続されている。図１の例では、画像処理装置３には、調剤薬局端末４が１つ接続されているが、複数接続されていてもよい。
【００８４】
また、画像処理装置３の機能構成の一部は、調剤薬局端末４のＣＰＵが対応するソフトウェアを実行することにより実現されてもよい。この場合、画像処理装置３は、スキャナ又は複合機と、調剤薬局端末４と、により構成される。調剤薬局端末４は、画像読取部３１以外の機能構成（解析制御部３２、第２画像検知部３３、第２画像解析部３４、及び表示部３５）の少なくとも１つの機能を実現できる。なお、調剤薬局端末４のハードウェア構成は、医療機関端末１と同様であるため、説明を省略する。
【００８５】
＜画像処理装置３の動作＞
まず、本実施形態に係る処方箋管理システム１０における処理及び手続きの概要を説明する。まず、医療機関のスタッフが医療機関端末１に処方箋情報を入力すると、画像形成装置２が、処方箋用紙に処方箋画像を印刷し、処方箋を作成する。こうして作成された処方箋が、患者に発行される。
【００８６】
次に、処方箋を受け取った患者は、調剤薬局に行き、調剤薬局のスタッフに処方箋を渡す。処方箋を受け取った調剤薬局のスタッフは、処方箋を画像処理装置３で読み取り、処方箋が改竄されていないか確認する。処方箋に改竄がなかった場合、調剤薬局のスタッフは、処方箋に従って、患者に薬を処方する。
【００８７】
以下では、処方箋の改竄がないか確認する際の、画像処理装置３の動作について説明する。図７は、画像処理装置３の動作の一例を示すシーケンス図である。図８は、画像処理装置３の動作の一例を示すフローチャートである。
【００８８】
まず、調剤薬局のスタッフが、患者から受け取った処方箋を、画像処理装置３の所定の位置に設置し、オペレーションパネル２２などの入力装置により読み取り操作を入力する。読み取り操作は、調剤薬局端末４が備える入力装置から入力されてもよい。
【００８９】
画像処理装置３に読み取り操作を入力されると、画像読取部３１は、処方箋から処方箋画像を読み取り、処方箋画像の画像データを生成する（ステップＳ１）。画像読取部３１は、生成された処方箋画像の画像データを、解析制御部３２に渡す。
【００９０】
次に、解析制御部３２は、受け取った処方箋画像の画像データを、第２画像検知部３３に渡す。第２画像検知部３３は、受け取った処方箋画像の画像データに基づいて、処方箋画像に含まれる第２画像を検知する（ステップＳ２）。第２画像の検知方法については、上述の通りである。第２画像検知部３３は、得られた検知結果を解析制御部３２に渡す。
【００９１】
解析制御部３２が第２画像を検知できない旨の検知結果を受け取った場合、すなわち、処方箋画像に第２画像が含まれない場合（ステップＳ３のＮＯ）、処理は後述するステップＳ５に進む。
【００９２】
処方箋画像に第２画像が含まれない場合として、医療機関端末１が第２画像の画像データを生成する機能を備えない場合、処方箋が悪意ある患者により作成された架空のものである場合、誤って処方箋以外の用紙が画像処理装置３に設置された場合などが考えられる。
【００９３】
一方、解析制御部３２は、第２画像を検知した旨の検知結果を受け取った場合、すなわち、処方箋画像に第２画像が含まれる場合（ステップＳ３のＹＥＳ）、処方箋画像の画像データを第２画像解析部３４に渡す。この際、解析制御部３２は、処方箋画像の画像データから、第２画像の画像データを抽出し、第２画像解析部３４に渡してもよい。
【００９４】
続いて、第２画像解析部３４は、処方箋画像に含まれる第２画像の画像データを解析して、第２画像が有する第２の処方箋情報を取得する（ステップＳ４）。第２画像解析部３４は、取得した第２の処方箋情報を、解析制御部３２に渡す。
【００９５】
解析制御部３２は、受け取った第２の処方箋情報と、処方箋画像の画像データと、を表示部３５に渡す。図７の例では、解析制御部３２は、第２の処方箋情報と、処方箋画像の画像データと、を同じタイミングで表示部３５に渡している。しかしながら、解析制御部３２は、処方箋画像の画像データを、表示部３５に予め渡しておいてもよい。また、処方箋画像の画像データは、画像読取部３１が、表示部３５に渡してもよい。
【００９６】
その後、表示部３５は、処方箋画像及び第２の処方箋情報を比較可能な形式で、表示装置に表示させる（ステップＳ５）。ただし、処方箋画像に第２画像が含まれなかった場合には、第２の処方箋情報は表示されない。
【００９７】
本実施形態では、第１画像は、第１の処方箋情報を示す文字列を含む。このため、第１画像を含む処方箋画像を表示することは、第１の処方箋情報を表示することに相当する。したがって、処方箋画像及び第２の処方箋情報を比較可能な形式で表示装置に表示させることにより、調剤薬局のスタッフは、表示装置の画面上で、第１の処方箋情報及び第２の処方箋情報を比較することができる。
【００９８】
上述の通り、第２の処方箋情報は、不可視の情報であるため、改竄が極めて困難である。すなわち、第２の処方箋情報は、改竄されていない可能性が高い。このため、第１の処方箋情報と、第２の処方箋情報と、に異なる部分（内容が異なる項目）が存在した場合、当該部分は第１の処方箋情報が改竄された部分と考えられる。
【００９９】
結果として、調剤薬局のスタッフは、第１の処方箋情報を、第２の処方箋情報と比較することにより、第１の処方箋情報の改竄を発見し、第１の処方箋情報の改竄による違法な薬の取得を抑制することができる。また、第１の処方箋情報に対する改竄の有無が把握できるため、第１の処方箋情報を保証することができる。また、医療機関端末１及び調剤薬局端末４がネットワークに接続されていない場合であっても、処方箋の改竄を発見することができる。
【０１００】
図９及び図１０は、表示装置に表示された第１の処方箋情報及び第２の処方箋情報の一例を示す図である。図９は第１画像（第１の処方箋情報）が改竄されていない場合の例、図１０は第１画像（第１の処方箋情報）が改竄されている場合の例である。
【０１０１】
図９及び図１０の例では、処方箋画像（第１の処方箋情報）及び第２の処方箋情報は、比較しやすいように、同一画面上に並べて表示されている。図９及び図１０において、左欄（画像情報）が処方箋画像であり、右欄（不可視情報）が第２の処方箋情報である。
【０１０２】
図９の例では、第１画像（第１の処方箋情報）が改竄されていないため、第１の処方箋情報と、第２の処方箋情報と、は全て一致している。
【０１０３】
一方、図１０の例では、第１画像（第１の処方箋情報）が改竄されているため、第１の処方箋情報と、第２の処方箋情報と、の一部が異なる。具体的には、第１の処方箋情報によれば、解熱剤Ａが４０錠処方されているが、第２の処方箋情報によれば、解熱剤Ａが２０錠処方されている。これは、第１の処方箋情報における解熱剤Ａの量が改竄されていることを示している。また、第１の処方箋情報によれば、胃薬Ｃが処方されているが、第２の処方箋情報によれば、胃薬Ｂが処方されている。これは、第１の処方箋情報における胃薬の種類が改竄されていることを示している。
【０１０４】
このように、第１の処方箋情報と、第２の処方箋情報と、を比較可能な形式で表示することにより、調剤薬局のスタッフは、処方箋の改竄を容易に発見することができる。
【０１０５】
なお、図９及び図１０の例では、第１の処方箋情報が含む項目と、第２の処方箋情報が含む項目と、は全てが同一であるため、全ての項目が保証の対象となる。例えば、第１の処方箋情報及び第２の処方箋情報の保険者番号を比較することにより、保険者番号の改竄を発見し、保険者番号を保証できる。
【０１０６】
しかしながら、上述の通り、第１の処方箋情報が含む項目と、第２の処方箋情報が含む項目と、は一部が異なってもよい。この場合、第１の処方箋情報及び第２の処方箋情報において、重複する項目が保証の対象となる。例えば、図９及び図１０の例において、第２の処方箋情報が、保険者番号、医療機関名、保険医氏名、交付日、及び患者名を含まない場合、保証の対象は、処方内容（薬の種類及び量）となる。保証の対象は、任意であるが、改竄される可能性が高い項目（例えば、薬の種類や量）であるのが好ましい。
【０１０７】
（第２実施形態）
第２実施形態について図１１〜図１６を参照して説明する。本実施形態では、第１画像が第１の処方箋情報を有する２次元コードである場合について説明する。以下では、第１画像を、単に２次元コードという。
【０１０８】
本実施形態において、医療機関端末１は、第１の処方箋情報を有する２次元コードと、第２の処方箋情報を有する第２画像と、を含む処方箋画像の画像データを生成する。また、画像形成装置２は、２次元コード及び第２画像を含む処方箋画像を処方箋用紙に印刷し、処方箋を作成する。２次元コードは、例えば、ＱＲコード（登録商標）であるが、これに限られない。
【０１０９】
図１１は、本実施形態における処方箋画像の一例を示す図である。図１１の例では、処方箋画像の左下に、２次元コードが含まれている。また、図１１の例では、第２画像は、処方箋の全面に印刷されたドットパターンある。本実施形態において、患者は、２次元コードリーダを利用して２次元コードを読み取ることにより、第１の処方箋情報を取得することができる。すなわち、２次元コードが有する第１の処方箋情報は、可視の情報である。
【０１１０】
＜画像処理装置３の構成＞
図１２は、本実施形態に係る画像処理装置３の機能構成の一例を示す図である。図１２の画像処理装置３は、２次元コード検知部３６と、２次元コード解析部３７と、を備える。他の構成は、第１実施形態と同様である。
【０１１１】
２次元コード検知部３６は、解析制御部３２から処方箋画像の画像データを受け取り、受け取った画像データに基づいて、処方箋画像に含まれる２次元コードを検知する。すなわち、２次元コード検知部３６は、処方箋画像に２次元コードが含まれるか判定する。２次元コード検知部３６は、検知結果を解析制御部３２に渡す。２次元コードの検知方法として、２次元コードの種類に応じた既存の方法を利用できる。
【０１１２】
２次元コード解析部３７（第２の解析部）は、解析制御部３２から処方箋画像の画像データを受け取り、受け取った画像データを解析して、処方箋画像に含まれる２次元コードから第１の処方箋情報を取得する。２次元コード解析部３７は、解析結果、すなわち、解析により得られた第１の処方箋情報を、解析制御部３２に渡す。２次元コードの解析方法として、２次元コードの種類に応じた既存の方法を利用できる。
【０１１３】
＜画像処理装置３の動作＞
次に、本実施形態に係る画像処理装置３の動作について説明する。図１３は、画像処理装置３の動作の一例を示すフローチャートである。図１３におけるステップＳ１〜Ｓ５は、第１実施形態と同様である。
【０１１４】
まず、調剤薬局のスタッフが、処方箋を画像処理装置３の所定の位置に設置し、オペレーションパネル２２などの入力装置により読み取り操作を入力する。読み取り操作は、調剤薬局端末４が備える入力装置から入力されてもよい。
【０１１５】
画像処理装置３に読み取り操作が入力されると、画像読取部３１は、処方箋から処方箋画像を読み取り、処方箋画像の画像データを生成する（ステップＳ１）。画像読取部３１は、生成された処方箋画像の画像データを、解析制御部３２に渡す。
【０１１６】
次に、解析制御部３２は、受け取った処方箋画像の画像データを、２次元コード検知部３６に渡す。２次元コード検知部３６は、受け取った処方箋画像の画像データに基づいて、処方箋画像に含まれる２次元コードを検知する（ステップＳ６）。２次元コードの検知方法については、上述の通りである。２次元コード検知部３６は、得られた検知結果を解析制御部３２に渡す。
【０１１７】
解析制御部３２が、２次元コードを検知できなかった旨の検知結果を受け取った場合、すなわち、処方箋画像に２次元コードが含まれない場合（ステップＳ７のＮＯ）、処理は後述するステップＳ２に進む。
【０１１８】
処方箋画像に２次元コードが含まれない場合として、医療機関端末１が２次元コードの画像データを生成する機能を備えない場合、誤って処方箋以外の用紙が画像処理装置３に設置された場合などが考えられる。
【０１１９】
一方、解析制御部３２は、２次元コードを検知した旨の検知結果を受け取った場合、すなわち、処方箋画像に２次元コードが含まれる場合（ステップＳ７のＹＥＳ）、処方箋画像の画像データを２次元コード解析部３７に渡す。この際、解析制御部３２は、処方箋画像の画像データから、２次元コードの画像データを抽出し、２次元コード解析部３７に渡してもよい。
【０１２０】
続いて、２次元コード解析部３７は、処方箋画像に含まれる２次元コードの画像データを解析して、２次元コードが有する第１の処方箋情報を取得する（ステップＳ８）。２次元コード解析部３７は、得られた取得した第１の処方箋情報を、解析制御部３２に渡す。
【０１２１】
その後、処理はステップＳ２に進む。ステップＳ２以降の処理は、第１実施形態で説明したとおりである。すなわち、第２画像検知部３３が処方箋画像に含まれる第２画像を検知する（ステップＳ２）。第２画像が検知された場合（ステップＳ３のＹＥＳ）、第２画像解析部３４が、第２画像を解析して第２の処方箋情報を取得する（ステップＳ４）。そして、表示部３５が、第１の処方箋情報及び第２の処方箋情報を比較可能な形式で表示装置に表示させる（ステップＳ５）。なお、２次元コードが検知されなかった場合（ステップＳ７のＮＯ）、第１の処方箋情報は表示されない。また、第２画像が検知されなかった場合（ステップＳ３のＮＯ）、第２の処方箋情報は表示されない。
【０１２２】
本実施形態によれば、調剤薬局のスタッフは、表示装置の画面上で、第１の処方箋情報及び第２の処方箋情報を比較することにより、第１の処方箋情報の改竄を発見し、第１の処方箋情報の改竄による違法な薬の取得を抑制することができる。また、第１の処方箋情報に対する改竄の有無が把握できるため、第１の処方箋情報を保証することができる。また、医療機関端末１や調剤薬局端末４がネットワークに接続されていない場合であっても、処方箋の改竄を発見することができる。
【０１２３】
図１４は、表示装置に表示された第１の処方箋情報及び第２の処方箋情報の一例を示す図である。図１４は、２次元コード（第１の処方箋情報）が改竄されている場合の例である。図１４の例では、第１の処方箋情報及び第２の処方箋情報は、比較しやすいように、同一画面上に並べて表示されている。図１４において、左欄（２次元コード情報）が第１の処方箋情報であり、右欄（不可視情報）が第２の処方箋情報である。
【０１２４】
このように、第１の処方箋情報と、第２の処方箋情報と、を比較可能な形式で表示することにより、処方箋の改竄を容易に発見することができる。
【０１２５】
なお、２次元コードの解析処理（ステップＳ６〜Ｓ８）と、第２画像の解析処理（ステップＳ２〜Ｓ４）と、の順番は逆であってもよい。
【０１２６】
また、処方箋画像は、第１画像として、第１の処方箋情報を示す文字列と、第１の処方箋情報を有する２次元コードと、の両方を含んでもよい。図１５は、このような処方箋画像の一例を示す図である。
【０１２７】
図１５の処方箋画像には、第１画像として、「保険者番号：ａａａ」、「医療機関名：ｂｂｂ」、「処方内容：解熱剤Ａ：２０錠：胃薬Ｂ：１０錠」などの文字列と、２次元コードと、が含まれている。また、図１５の処方箋画像には、第２画像として、処方箋の全面に印刷されたドットパターンが含まれている。
【０１２８】
画像処理装置３は、このような処方箋画像を読み取った場合、処方箋画像を表示させることにより第１の処方箋情報を表示させてもよいし、２次元コードから読み取った第１の処方箋情報を表示させてもよい。また、画像処理装置３は、処方箋画像と、２次元コードから読み取った第１の処方箋情報と、の両方を表示させてもよい。
【０１２９】
図１６は、表示装置に表示された第１の処方箋情報及び第２の処方箋情報の一例を示す図である。図１６は、第１の処方箋情報が改竄されている場合の例である。図１６の例では、第１の処方箋情報として、処方箋画像と、２次元コードから読み取った第１の処方箋情報と、が表示されている。図１６において、左欄（画像情報）が第１の処方箋情報（処方箋画像）であり、中央欄（２次元コード情報）が２次元コードから読み取った第１の処方箋情報であり、右欄（不可視情報）が第２の処方箋情報である。
【０１３０】
このように、処方箋画像と、２次元コードから読み取った第１の処方箋情報と、の両方を表示することにより、第１の処方箋情報をより確実に保証することができる。なお、処方箋画像に含まれる文字列が示す第１の処方箋情報と、２次元コードが有する第１の処方箋情報と、は一部が異なってもよい。
【０１３１】
（第３実施形態）
第３実施形態について、図１７〜図１９を参照して説明する。本実施形態では、処方箋画像から取得した第１の処方箋情報及び第２の処方箋情報に基づいて、改竄を検知する画像処理装置３について説明する。以下では、処方箋画像は、第１画像として、第１の処方箋情報を示す文字列を含むものとする。
【０１３２】
＜画像処理装置３の構成＞
図１７は、本実施形態に係る画像処理装置３の機能構成の一例を示す図である。図１７の画像処理装置３は、光学文字認識部３８と、改竄検知部３９と、を備える。他の構成は、第１実施形態と同様である。
【０１３３】
光学文字認識部３８は、光学文字認識により、処方箋画像に含まれる第１画像から第１の処方箋情報を取得する。光学文字認識部３８は、光学文字認識方法として、既存の任意の方法を利用できる。
【０１３４】
改竄検知部３９は、処方箋画像から取得された第１の処方箋情報と、第２の処方箋情報と、に基づいて、第１の処方箋情報の改竄を検知する。具体的には、改竄検知部３９は、第１の処方箋情報を第２の処方箋情報と比較し、内容が異なっている項目が存在した場合、当該項目を、第１処方箋情報が改竄された項目として検知する。改竄検知部３９は、得られた検知結果を、解析制御部３２に渡す。
【０１３５】
＜画像処理装置の動作＞
次に、本実施形態に係る画像処理装置３の動作について説明する。図１８は、画像処理装置３の動作の一例を示すフローチャートである。図１８におけるステップＳ１〜Ｓ５は、第１実施形態と同様である。
【０１３６】
まず、調剤薬局のスタッフが、処方箋を画像処理装置３の所定の位置に設置し、オペレーションパネル２２などの入力装置により読み取り操作を入力する。読み取り操作は、調剤薬局端末が備える入力装置から入力されてもよい。
【０１３７】
画像処理装置３に読み取り操作が入力されると、画像読取部３１は、処方箋から処方箋画像を読み取り、処方箋画像の画像データを生成する（ステップＳ１）。画像読取部３１は、生成された処方箋画像の画像データを、解析制御部３２に渡す。
【０１３８】
次に、解析制御部３２は、受け取った処方箋画像の画像データを、光学文字認識部３８に渡す。光学文字認識部３８は、受け取った画像データに基づいて、光学文字認識により、処方箋画像に含まれる文字列（第１画像）の内容を認識し、第１の処方箋情報を取得する（ステップＳ９）。光学文字認識部３８は、取得した第１の処方箋情報を、解析制御部３２に渡す。
【０１３９】
その後、ステップＳ２〜Ｓ４の処理が実行される。すなわち、第２画像検知部３３が処方箋画像に含まれる第２画像を検知する（ステップＳ２）。第２画像が検知された場合（ステップＳ３のＹＥＳ）、第２画像解析部３４が、第２画像を解析して第２の処方箋情報を取得する（ステップＳ４）。第２画像解析部３４は、取得した第２の処方箋情報を、解析制御部３２に渡す。
【０１４０】
続いて、解析制御部３２は、第１の処方箋情報と、第２の処方箋情報と、を改竄検知部３９に渡す。改竄検知部３９は、第１の処方箋情報と、第２の処方箋情報と、を比較して、第１の処方箋情報の改竄を検知する。改竄検知部３９は、検知結果を解析制御部３２に渡す。
【０１４１】
そして、解析制御部３２は、検知結果と、第１の処方箋情報と、第２の処方箋情報と、を表示部３５に渡す。表示部３５は、第１の処方箋情報及び第２の処方箋情報を、比較可能な形式で表示装置に表示させる（ステップＳ５）。また、表示部３５は、第１の処方箋情報及び第２の処方箋情報と共に、改竄の検知結果を表示させる。なお、第２画像が検知されなかった場合（ステップＳ３のＮＯ）、第２の処方箋情報は表示されない。
【０１４２】
本実施形態によれば、調剤薬局のスタッフは、表示装置の画面上で、第１の処方箋情報及び第２の処方箋情報を比較することにより、第１の処方箋情報の改竄を発見し、第１の処方箋情報の改竄による違法な薬の取得を抑制することができる。また、第１の処方箋情報に対する改竄の有無が把握できるため、第１の処方箋情報を保証することができる。また、医療機関端末１や調剤薬局端末４がネットワークに接続されていない場合であっても、処方箋の改竄を発見することができる。また、改竄検知部３９により、処方箋の改竄が自動で検知されるため、人為的なミスによる改竄の見逃しを防ぎ、第１の処方箋情報をより精度よく保証することができる。
【０１４３】
図１９は、表示装置に表示された第１の処方箋情報及び第２の処方箋情報の一例を示す図である。図１９は、第１の処方箋情報が改竄されている場合の例である。図１９の例では、第１の処方箋情報及び第２の処方箋情報は、比較しやすいように、同一画面上に並べて表示されている。また、第１の処方箋情報として、光学文字認識により文字列から読み取った第１の処方箋情報が表示されている。図１９において、左欄（画像情報）が第１の処方箋情報であり、右欄（不可視情報）が第２の処方箋情報である。
【０１４４】
また、図１９の例では、第１の処方箋情報及び第２の処方箋情報と共に、「処方内容が改竄されています」という、改竄の検知結果が表示されている。このように、改竄の検知結果を表示することにより、調剤薬局のスタッフは、改竄の有無や内容を、容易に把握することができる。
【０１４５】
本実施形態に係る画像処理装置３は、光学文字認識部３８の代わりに、２次元コード検知部３６及び２次元コード解析部３７を備えてもよい。このような構成により、改竄検知部３９は、２次元コードから取得した第１の処方箋情報を利用して、第１の処方箋情報の改竄を検知することができる。また、画像処理装置３は、光学文字認識部３８と共に、２次元コード検知部３６及び２次元コード解析部３７を備えてもよい。
【０１４６】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【０１４７】
１：医療機関端末
２：画像形成装置
３：画像処理装置
４：調剤薬局端末
５：ソフトウェア群
１０：処方箋管理システム
３１：画像読取部
３２：解析制御部
３３：第２画像検知部
３４：第２画像解析部
３５：表示部
３６：２次元コード検知部
３７：２次元コード解析部
３８：光学文字認識部
３９：改竄検知部
【先行技術文献】
【特許文献】
【０１４８】
【特許文献１】特開２００４−１９９４８１号公報
【非特許文献】
【０１４９】
【非特許文献１】JAHIS技術文書12-101院外処方せん２次元シンボル記録条件規約Ver1.1  http://www.jahis.jp/jahis_engineer_documen12-101/
【図１】
2017194871.tif 000003
【図２】
2017194871.tif 000004
【図３】
2017194871.tif 000005
【図４】
2017194871.tif 000006
【図５】
2017194871.tif 000007
【図６】
2017194871.tif 000008
【図７】
2017194871.tif 000009
【図８】
2017194871.tif 000010
【図９】
2017194871.tif 000011
【図１０】
2017194871.tif 000012
【図１１】
2017194871.tif 000013
【図１２】
2017194871.tif 000014
【図１３】
2017194871.tif 000015
【図１４】
2017194871.tif 000016
【図１５】
2017194871.tif 000017
【図１６】
2017194871.tif 000018
【図１７】
2017194871.tif 000019
【図１８】
2017194871.tif 000020
【図１９】
2017194871.tif 000021